(57)【特許請求の範囲】
【請求項１】
配管を通じて供給された水を吐水口へと導く主水路と、該主水路を開閉する主弁とが内部に設けられた本体ボデーに対して、一方の端部を押込操作すると該主弁を閉弁させ、他方の端部を押込操作すると該主弁を開弁させるシーソースイッチ式の吐止水操作部を設けるとともに、該吐止水操作部の前記一方の端部の下方位置に、該主水路の流量調節を行うための流調操作部材の操作部を設け、該流調操作部材は、前記吐止水操作部の押込操作方向と略垂直な面を回転する、前記本体ボデーに装着された回転式の操作部材であることを特徴とする吐水装置。
【請求項２】
請求項１において、前記本体ボデーには前記主水路の流量調節を行う流調弁が設けられていて、該流調弁に対して前記流調操作部材が作動的に連結してあることを特徴とする吐水装置。
【請求項３】
請求項１，２の何れかにおいて、前記回転式の流調操作部材が前記主水路の流量調節を行う流調弁の回転軸に対してギヤの噛合いにより作動的に連結され、該流調操作部材の回転により該ギヤの噛合いに基づいて該流調弁を回転させて流量調節を行うものとなしてあることを特徴とする吐水装置。
【請求項４】
請求項１〜３の何れかにおいて、前記流調弁が前記主弁の上流側に設けてあることを特徴とする吐水装置。
【請求項５】
請求項１〜４の何れかにおいて、前記本体ボデーに前記吐水口が一体的に設けてあることを特徴とする吐水装置。
【請求項６】
請求項１〜５の何れかにおいて、前記本体ボデーには、前記主弁を水圧により閉弁方向に押圧するための背圧室と、該背圧室と前記主水路の前記主弁の下流部とを連通させる該主弁操作用のパイロット水路と、該パイロット水路を開閉するパイロット弁とが設けてあり、前記吐止水操作部が該パイロット弁を開閉操作するものとなしてあることを特徴とする吐水装置。
【発明の詳細な説明】
【０００１】
【発明の属する技術分野】
この発明は吐水装置に関し、詳しくは吐止水操作部がシーソースイッチ式の操作部であるワンタッチ操作式の吐水装置に関する。
【０００２】
【従来の技術】
従来、吐止水操作部の操作によって吐水口からの吐水と止水とを行う吐水装置として、その吐止水操作部をシーソー式のスイッチ操作部となしたものが公知である。
図５はその一例を示している。
同図において２００は吐水口で、２０２はその吐水口２００からの吐水と止水とを行うための吐止水操作部で、この吐止水操作部２０２はシーソースイッチ式の操作部としてなしてある。
【０００３】
この吐水装置の場合、吐止水操作部２０２の一方の端部２０２ａを押込操作すると吐水口２００からの吐水が行われ、また反対側の端部２０２ｂを押込操作することで吐水口２００からの吐水停止、即ち止水が行われる。
【０００４】
具体的にはこの吐水装置の場合、主水路２０４上にダイヤフラム弁から成る主弁２０６が設けられていて、その主弁２０６の背面側に背圧室２０８が形成されている。
主弁２０６は、図５（Ａ）に示すように通常はその背圧室２０８内の水圧によって弁座２１０に着座した状態、即ち閉弁状態に保持される。
【０００５】
背圧室２０８は、パイロット水路２１２によって主水路２０４における主弁２０６の下流部に連通するようになっており、そしてそのパイロット水路２１２が、パイロット弁２１４にて開閉されるようになっている。
【０００６】
この吐水装置の場合、吐止水操作部２０２における一方の端部２０２ａを押込操作すると、（Ｂ）に示すようにパイロット弁２１４が上方に持ち上がってパイロット水路２１２が連通した状態、即ち背圧室２０８が主水路２０４、詳しくは主水路２０４における主弁２０６の下流部と連通した状態となって、背圧室２０８内の水が主水路２０４へと流出し、背圧室２０８内の水圧による主弁２０６の閉弁方向への押圧作用が解除される。
これにより主弁２０６が、主水路２０４の給水圧によって開弁作動し、ここにおいて主水路２０４を通じて水が吐水口２００から外部に吐水される。
【０００７】
一方端部２０２ａとは反対側の端部２０２ｂを押込操作すると、（Ａ）に示すようにパイロット弁２１４が下向きに押し込まれてパイロット水路２１２が遮断状態となり、ここにおいて主水路２０４の水が主弁２０６の貫通の小孔（図示省略）を通じて背圧室２０８内に流入して背圧室２０８内の水圧が高まり、そしてその水圧により主弁２０６が閉弁作動して、吐水口２００からの吐水が停止する。
【０００８】
この吐水装置の場合、吐止水操作部２０２がシーソースイッチ式の操作部としてなしてあることから、単にこれを押込操作するだけで吐水と止水とを行うことができ、利便性が高い特長がある。
【０００９】
図６は本出願人の提案に係る別種の吐水装置を示したもので、この吐水装置２１５も同様のシーソースイッチ式の操作部として吐止水操作部２０２を有している。
この吐水装置２１５は本体ボデー２１６を有していて、その本体ボデー２１６の図中上側の端部にシーソースイッチ式の操作部として吐止水操作部２０２が設けられ、また反対側において本体ボデー２１６に吐水口２００，主水路２０４，吐水口２００への給水用の配管の接続口２０５等が設けられている。
【００１０】
本体ボデー２１６にはまた、吐止水操作部２０２側においてパイロット弁２１４が設けられている。
尚、図中２１８は主弁２０６に設けられた貫通の小孔で、この小孔２１８を通じて、主水路２０４内の水が背圧室２０８内へと少量ずつ導入される。
【００１１】
【発明が解決しようとする課題】
吐水操作部２０２がこのようなシーソースイッチ式の操作部とされたこの種吐水装置２１５の場合、ワンタッチ操作で吐水と止水とを行うことができ利便性が高い特長があるが、従来のこの種吐水装置にあっては流量調節機能を備えておらず、使用者が流量を変えたいと思っても流量調節ができないといった不便があった。
【００１２】
【課題を解決するための手段】
本発明の吐水装置はこのような課題を解決するために案出されたものである。
而して請求項１のものは、配管を通じて供給された水を吐水口へと導く主水路と、該主水路を開閉する主弁とが内部に設けられた本体ボデーに対して、一方の端部を押込操作すると該主弁を閉弁させ、他方の端部を押込操作すると該主弁を開弁させるシーソースイッチ式の吐止水操作部を設けるとともに、該吐止水操作部の前記一方の端部の下方位置に、該主水路の流量調節を行うための流調操作部材の操作部を設け、該流調操作部材は、前記吐止水操作部の押込操作方向と略垂直な面を回転する、前記本体ボデーに装着された回転式の操作部材であることを特徴とする。
【００１３】
請求項２のものは、請求項１において、前記本体ボデーには前記主水路の流量調節を行う流調弁が設けられていて、該流調弁に対して前記流調操作部材が作動的に連結してあることを特徴とする。
【００１４】
請求項３のものは、請求項１，２の何れかにおいて、前記回転式の流調操作部材が前記主水路の流量調節を行う流調弁の回転軸に対してギヤの噛合いにより作動的に連結され、該流調操作部材の回転により該ギヤの噛合いに基づいて該流調弁を回転させて流量調節を行うものとなしてあることを特徴とする。
【００１５】
請求項４のものは、請求項１〜３の何れかにおいて、前記流調弁が前記主弁の上流側に設けてあることを特徴とする。
【００１６】
請求項５のものは、請求項１〜４の何れかにおいて、前記本体ボデーに前記吐水口が一体的に設けてあることを特徴とする。
【００１７】
請求項６のものは、請求項１〜５の何れかにおいて、前記本体ボデーには、前記主弁を水圧により閉弁方向に押圧するための背圧室と、該背圧室と前記主水路の前記主弁の下流部とを連通させる該主弁操作用のパイロット水路と、該パイロット水路を開閉するパイロット弁とが設けてあり、前記吐止水操作部が該パイロット弁を開閉操作するものとなしてあることを特徴とする。
【００１８】
【作用及び発明の効果】
以上のように本発明は、シーソースイッチ式の吐止水操作部を備えた吐水装置において、その本体ボデーに、主水路の流量調節を行うための流調操作部材を設けたもので、この吐水装置によれば、手元操作によって吐水と止水とをワンタッチ操作で行うことができるとともに、併せて流量調節を行うことができ、この種吐水装置における利便性を飛躍的に高めることができる。
【００１９】
加えてこの流調操作部材は、本体ボデーに装着した回転式のものとなしてあり、このようにすることで簡単に本体ボデーに流調操作部材を設けることができ、しかも流量調節を簡単な操作で容易に行うことが可能となる。
【００２０】
この場合において本体ボデーに主水路の流量調節を行う流調弁を設けて、その流調弁に対し上記流調操作部材を作動的に連結しておくことができる（請求項２）。
【００２１】
請求項３のものは、回転式の流調操作部材を流調弁の回転軸に対しギヤの噛合いにより作動的に連結するようになしたもので、このようにしておけば、流調操作部材の回転を良好に流調弁に伝えて、これを流量調節のために作動させることができる。
ここで上記流調弁は上記主弁に対し上流側の部位に設けておくことができる（請求項４）。
【００２２】
本発明においては、上記本体ボデーに対し吐水口を一体的に設けておくことができ（請求項５）、更にまた本体ボデーには、主弁を閉弁方向に押圧する背圧室と、その背圧室と主水路とを連通させる主弁操作用のパイロット水路と、そのパイロット水路を開閉するパイロット弁とを設けておき、上記吐止水操作部によってそのパイロット弁を開閉操作するようになすことができる（請求項６）。
【００２３】
このようにすれば、本体ボデー内に吐水装置として必要な各種機能を備えておくことができ、吐水装置の設置が簡単になるとともに、吐止水操作部がパイロット弁を開閉操作するものとなしてあるため、少ない力で容易に吐水と止水の操作を行うことができる。
【００２４】
【実施例】
次に本発明の実施例を図面に基づいて詳しく説明する。
図１において、１０は本例のワンタッチ操作式の吐水装置で本体ボデー１２を有している。
この本体ボデー１２の図中上側の端部には吐止水操作部１６が設けられ、また反対側の端部に吐水口２２が設けられている。
【００２５】
本体ボデー１２にはまた、給水用の配管の接続口２３が設けられていて、そこに配管が接続され、かかる配管からの給水が本体ボデー１２内部に設けられた主水路２４(ここでは断面円形)にて吐水口２２へと導かれるようになっている。
【００２６】
この主水路２４上には、これを開閉するためのダイヤフラム弁から成る２６が設けられている。
主水路２４は、この主弁２６が弁座２７に着座することで遮断、即ちその上流側水路２４ａと下流側水路２４ｂとが遮断され、また主弁２６が弁座２７から図中上向きに離間することで主水路２４が連通、即ち上流側水路２４ａと下流側水路２４ｂとが連通するようになっている。
【００２７】
主弁２６の背面側（図中上面側）には背圧室２８が形成されている。
主弁２６は、通常はこの背圧室２８内の圧力（水圧）にて図中下向きに押圧され、弁座２７に着座した状態に保持される。
即ち主弁２６はこの背圧室２８の圧力によって通常閉弁状態に保持される。
【００２８】
この背圧室２８からは、主弁２６操作用のパイロット水路３０が延び出しており、その先端が主水路２４における下流側水路２４ｂで開口している。
本体ボデー１２にはまた、このパイロット水路３０上において、プランジャ式のパイロット弁３２が設けられており、このパイロット弁３２が弁座３４に着座することで、パイロット水路３０が遮断され、またパイロット弁３２が図中上向きに弁座３４から離間することで、パイロット水路３０の遮断状態が解除されるようになっている。即ちパイロット水路３０が連通するようになっている。
【００２９】
而してこのようにパイロット弁３２の開弁作動によってパイロット水路３０が連通状態になると、背圧室２８内の水がパイロット水路３０を通じて主水路２４へと流入し、これにより背圧室２８内の圧力が減少して主弁２６が主水路２４の給水圧により開弁作動する。
ここにおいて主水路２４が開放状態となって、配管を通じ供給された水が吐水口２２へと送られ、続いて吐水口２２から外部へ吐水される。
【００３０】
上記吐止水操作部１６はスイッチ式、詳しくはシーソースイッチ式の操作部であって、底部にプレート３６が取り付けてあり、そのプレート３６において固定部材３８により本体ボデー１２に取付固定されている。
【００３１】
図２に示しているように、この固定部材３８は前板４０と、一対の側板４２と、底板４４とを有しており、そしてその前板４０の上端部に一対の掛止部４６が、また一対の側板４２のそれぞれに、吐止水操作部１６をプレート３６において揺動可能に支持するためのくの字状の切欠部４８が形成されている。
一方プレート３６には、一対の段付形状の当接部５０が形成されており、それら当接部５０が固定部材３８の切欠部４８に当接させられている。
【００３２】
そしてその状態でプレート３６に形成された一対の掛止穴５２に、一対のコイルスプリング５４の一端のフック部５６が掛止されている。
これらコイルスプリング５４の他端のフック部５６は、上記固定部材３８の掛止部４６に掛止されており、これらコイルスプリング５４の引張力により、プレート３６が当接部５０を切欠部４８に当接させた状態で固定部材３８により揺動可能に保持されている。即ち吐止水操作部１６が、プレート３６において固定部材３８により揺動可能に保持されている。
【００３３】
尚、固定部材３８は底板４４において図１に示しているように雄ねじ５８により本体ボデー１２に取付固定されている。
図１に示しているように、本体ボデー１２にはスリーブ６０が取り付けられており、そのスリーブ６０の内部に上記パイロット弁３２が摺動可能に保持されている。
このパイロット弁３２にはＴ字状の頭部６２が設けられている（図２参照）。
一方プレート３６には、図２に示しているようにフォーク部６４が設けられており、このフォーク部６４により頭部６２が図中上方に持ち上げられることで、パイロット弁３２が開弁作動し、またフォーク部６４によりパイロット弁３２の本体部分が下向きに押されることで、パイロット弁３２が閉弁作動する。
【００３４】
本例の吐止水操作部１６の場合、図３（Ａ）に示しているように吐止水操作部１６の図中左側の端部１６ｂを下向きに押込操作すると、吐止水操作部１６が固定部材３８の切欠部４８に当接した状態のプレート３６の当接部５０を支点として、図３中反時計回りに回転運動する。
その過程で一対のコイルスプリング５４が一旦伸長した後に再び収縮運動し、その収縮力に基づいて吐止水操作部１６が図３（Ａ）に示す状態に安定的に保持される。
【００３５】
また一方吐止水操作部１６の図中右側の端部１６ａを下向きに押込操作すると、吐止水操作部１６がプレート３６の当接部５０を支点として、今度は上記と逆方向の時計回りに回転運動する。
そしてその過程でコイルスプリング５４が一旦伸長した後に再び収縮運動し、その収縮力により吐止水操作部１６が図３（Ｂ）に示す状態に安定的に保持される。
【００３６】
而して図３（Ａ）に示す状態では、パイロット弁３２がプレート３６のフォーク部６４により下向きに押されて閉弁作動し、パイロット水路３０を閉鎖（遮断）する。
これにより主弁２６が閉弁作動して主水路２４が閉鎖（遮断）され、吐水口２２からの吐水が停止される。
【００３７】
また一方図３（Ｂ）の状態では、パイロット弁３２がフォーク部６４により頭部６２を上方に持ち上げられて開弁作動し、パイロット水路３０を開放する。
これに伴って主弁２６が開弁作動して主水路２４が開放され、その主水路２４を通じて送られて来た水が吐水口２２から外部に吐水される。
【００３８】
図１に示しているように、本体ボデー１２には主弁２６の上流部において、主水路２４内の流量調節を行う流調弁６６が設けられている。
この流調弁６６は、回転角度位置の変化によって主水路２４における流路断面積を変化させる円盤状の弁体６８と、この弁体６８から本体ボデー１２を貫通して外部に突き出す回転軸７０とを有している。
この回転軸７０の図中上端部外周面にはギヤ７２が設けられている。
【００３９】
一方吐止水操作部１６の図中直下の位置において、本体ボデー１２には回転リング式の流調操作部材７４が回転可能に装着されている。
この流調操作部材７４には、操作摘み（操作部）７６とその外周面においてギヤ７８とが設けられており、このギヤ７８が流調弁６６における回転軸７０の上端部外周面のギヤ７２に噛み合わされている。
【００４０】
即ち流調操作部材７４と流調弁６６とが作動的に連結されており、流調操作部材７４の回転によって流調弁６６、詳しくは円盤状の弁体６８が、主水路２４内において回転運動させられるようになっている。
【００４１】
本例においては、円盤状の弁体６８が図１（Ｂ）の部分拡大図及び図４（Ｉ）に示しているように主水路２４の軸心と平行となったときに主水路２４が全開状態となり、吐水口２２から最大流量で吐水が行われる。
【００４２】
そして図４（II），（III）に示しているように、流調操作部材７４の回転により弁体６８が主水路２４の軸心と平行となる向きからその回転角度位置を変化させるのにつれて、主水路２４の流路断面積が漸次減少し、これに伴って吐水口２２からの吐水流量が減少変化する。
【００４３】
このような本例の吐水装置１０にあっては、本体ボデー１２に主水路２４の流量調節を行うための流調操作部材７４が設けてあるので、手元操作によって吐水と止水とをワンタッチ操作で行うことができるとともに、併せて流量調節を行うことができ、吐水装置１０の利便性を飛躍的に高めることができる。
【００４４】
また本例では、本体ボデー１２に主水路２４の流量調節を行う流調弁６６を設けて、その流調弁６６に対し流調操作部材７４を作動的に連結してあるため、流量調節のための機構をコンパクトに且つ簡素に構成することができる。
【００４５】
また回転リング式の流調操作部材７４を流調弁６６の回転軸７０に対しギヤ７８，７２の噛合いにより作動的に連結してあるので、流調操作部材７４の回転を良好に流調弁６６に伝えることができる。
また本例の吐水装置１０は、吐止水操作部１６によってパイロット弁３２を開閉操作するようにしてあるため、少ない力で容易に吐水と止水の操作を行うことができる。
【００４６】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である吐水装置の断面図である。
【図２】  同実施例における吐止水操作部の一部とその周辺部を示す図である。
【図３】  同実施例の吐水装置における吐止水操作部の作用説明図である。
【図４】  同実施例の吐水装置の流調弁の作用説明図である。
【図５】  吐止水操作部としてシーソースイッチ式の操作部を有する吐水装置の従来の一例を示す図である。
【図６】  本出願人の提案に係る吐水装置の一例を示す図である。
【符号の説明】
１０  吐水装置
１２  本体ボデー
１６  吐止水操作部
２２  吐水口
２４  主水路
２６  主弁
２８  背圧室
３０  パイロット水路
３２  パイロット弁
６６  流調弁
７０  回転軸
７２，７８  ギヤ
７４  流調操作部材
【図１】
0004053780.tif 000002
【図２】
0004053780.tif 000003
【図３】
0004053780.tif 000004
【図４】
0004053780.tif 000005
【図５】
0004053780.tif 000006
【図６】
0004053780.tif 000007